(57)【要約】【課題】液体を用いて色や模様などの表示を制御することができる電子機器を提供する。【解決手段】電子機器は、表示を行う表示部２と、表示部２上の液体の状態を検出する液体検出部３と、液体検出部３で検出した液体の状態に応じて表示部２の表示を設定する制御部１と、を有する。【選択図】図１
2012185224.tif 000002
【特許請求の範囲】
【請求項１】
表示を行う表示部と、
前記表示部上の液体の状態を検出する液体検出部と、
前記液体検出部で検出した前記液体の状態に応じて前記表示部の表示を設定する制御部と、を有する電子機器。
【請求項２】
前記液体の状態は、前記表示部への前記液体の付着の有無、前記表示部への前記液体の付着回数、前記液体が前記表示部に付着している付着時間、前記液体の温度のうちの少なくとも１つを含む、請求項１に記載の電子機器。
【請求項３】
前記表示部が設けられた筐体の動きに応じて出力値が変化する加速度センサーを、さらに有し、
前記制御部は、前記加速度センサーの出力値に基づいて前記筐体の特定の動きを検出した場合に、前記液体の状態に応じた前記表示部の表示の設定を開始する、請求項１または２に記載の電子機器。
【請求項４】
前記表示部の表示の設定を開始するための開始ボタンを、さらに有し、
前記制御部は、前記開始ボタンが押下されると、前記液体の状態に応じた前記表示部の表示の設定を開始する、請求項１から３のいずれか１項に記載の電子機器。
【請求項５】
前記液体検出部は、前記液体の温度が、閾値より高い第１の温度から前記閾値より低い第２の温度への第１の遷移と、前記第２の温度から前記第１の温度への第２の遷移とが交互に所定回数だけ繰り返されたことを検出すると、その旨を示すリセット信号を前記制御部に供給し、
前記制御部は、前記液体検出部からの前記リセット信号に応じて、予め設定された初期状態の表示を前記表示部に設定する、請求項１から４のいずれか１項に記載の電子機器。
【請求項６】
前記制御部は、前記液体の状態に応じて前記表示部の表示を設定した場合、該設定時点から一定時間を経過した後に、予め設定された初期状態の表示を前記表示部に設定する、請求項１から５のいずれか１項に記載の電子機器。
【請求項７】
前記制御部は、前記液体の状態に応じて前記表示部の表示色を設定し、該設定の後、時間の経過とともに表示色の輝度を一定の割合で低下させる、請求項１から５のいずれか１項に記載の電子機器。
【請求項８】
前記表示部が設けられた筐体の動きを検出する加速度センサーを、さらに有し、
前記制御部は、前記液体検出部が前記液体の前記表示部への付着を検出している期間において、前記加速度センサーの出力値に応じて前記表示部の表示を設定する、請求項１に記載の電子機器。
【請求項９】
表示を行う表示部を備えた電子機器にて行われる表示操作方法であって、
前記表示部上の液体の状態を検出し、
前記検出した液体の状態に応じて前記表示部の表示を設定する、表示操作方法。
【請求項１０】
表示を行う表示部を備えた電子機器のコンピュータに、
前記表示部上の液体の状態を検出し、該検出した液体の状態に応じて前記表示部の表示を設定する処理を実行させる、プログラム。
【発明の詳細な説明】
【技術分野】
【０００１】
本発明は、表面の色や模様を操作することができる電子機器に関する。
【背景技術】
【０００２】
特許文献１には、色の変更が可能なカバーを備えた無線通信装置が記載されている。
【０００３】
カバーは、２つの導電層を備え、正または負に帯電した多数の荷電粒子と着色液体とが収容されたカプセルよりなる電子インクが導電層の間に挟持された構造を有する。
【０００４】
通常時は、制御信号は導電層の間に供給されない。この場合、荷電粒子は液体中を泳動し、カバーの色は、着色液体の色とされる。メッセージの着信時は、制御信号が導電層間に供給され、正または負の荷電粒子が一方の導電層側（表面側）に移動する。これにより、カバーの色は、荷電粒子の色とされる。
【０００５】
特許文献２には、筐体の一部に設けられた電子ペーパーと、画像データを入力する画像データ入力手段と、電子ペーパーを駆動制御する電子ペーパー駆動制御手段と、電子ペーパーの駆動制御の制御条件を設定する条件設定手段と、設定された制御条件に基づき、電子ペーパー駆動制御手段が電子ペーパーに表示させる表示画像データを画像データ入力手段にて入力された画像データから生成する電子ペーパー表示画像データ生成手段とを有する電子機器が記載されている。
【０００６】
ユーザが、画像データ入力手段を用いて所望の画像データを入力すると、電子ペーパー表示画像データ生成手段が、その所望の画像データに基づく表示画像データを生成する。そして、電子ペーパー駆動制御手段が、その生成した表示画像データを電子ペーパーに表示させる。これにより、電子ペーパーの表示画像をユーザが所望する色や模様の画像とすることができる。
【先行技術文献】
【特許文献】
【０００７】
【特許文献１】特開２００１−０８６２１３号公報
【特許文献２】特開２００６−１７３４８４号公報
【発明の概要】
【発明が解決しようとする課題】
【０００８】
筐体を所望の色や模様で染める場合、通常、ユーザは、インク等の液体を筐体の表面に付着させるといった行為を想定する。このことから、そのような行為に似た操作、すなわち、筺体に対して液体を用いた操作を行うことで、筐体の表面の色や模様などの表示を制御することが望ましい。
【０００９】
特許文献１、２に記載のものでは、電気的な制御に基づいて筐体の色や模様を変更することができるが、液体を用いて筐体の表面の色や模様などの表示を制御することはできない。
【００１０】
本発明の目的は、液体を用いて色や模様などの表示を制御することができる、電子機器、表示操作方法およびプログラムを提供することにある。
【課題を解決するための手段】
【００１１】
上記目的を達成するため、本発明の一態様によれば、
表示を行う表示部と、
前記表示部上の液体の状態を検出する液体検出部と、
前記液体検出部で検出した前記液体の状態に応じて前記表示部の表示を設定する制御部と、を有する電子機器が提供される。
【００１２】
本発明の別の態様によれば、
表示を行う表示部を備えた電子機器にて行われる表示操作方法であって、
前記表示部上の液体の状態を検出し、
前記検出した液体の状態に応じて前記表示部の表示を設定する、表示操作方法が提供される。
【００１３】
本発明の他の態様によれば、
表示を行う表示部を備えた電子機器のコンピュータに、
前記表示部上の液体の状態を検出し、該検出した液体の状態に応じて前記表示部の表示を設定する処理を実行させる、プログラムが提供される。
【発明の効果】
【００１４】
本発明によれば、液体を筐体の表示面に付着させるといった直感的な操作により表示を設定することができるので、表示の操作性が向上する。
【図面の簡単な説明】
【００１５】
【図１】本発明の第１の実施形態である電子機器の構成を示すブロック図である。
【図２Ａ】図１に示す電子機器を表面側から見た場合の外観図である。
【図２Ｂ】図１に示す電子機器を裏面側から見た場合の外観図である。
【図３】図１に示す電子機器の表示操作の一手順を示すフローチャートである。
【図４】図１に示す電子機器の別の形態の一例を示すブロック図である。
【図５】図４に示す電子機器にて用いられる表示色選択テーブルの一例を示す図である。
【図６】本発明の第２の実施形態の電子機器の構成を示すブロック図である。
【図７】図６に示す電子機器を裏面側から見た場合の外観図である。
【図８】図６に示す電子機器の表示操作の一手順を示す
【図９】図６に示す電子機器にて用いられる表示色選択テーブルの一例を示す図である。
【図１０】図６に示す電子機器の別の形態の一例を示すブロック図である。
【図１１】図１０に示す電子機器にて用いられる表示色選択テーブルの一例を示す図である。
【図１２】本発明の第３の実施形態の電子機器の構成を示すブロック図である。
【図１３】図１２に示す電子機器にて用いられる表示色選択テーブルの一例を示す図である。
【図１４】図１２に示す電子機器にて用いられる別の表示色選択テーブルの一例を示す図である。
【図１５】本発明の電子機器を適用したアクセサリーの一例を示す模式図である。
【発明を実施するための形態】
【００１６】
次に、本発明の実施形態について図面を参照して説明する。
【００１７】
（第１の実施形態）
図１は、本発明の第１の実施形態である電子機器の構成を示すブロック図である。
【００１８】
図１を参照すると、電子機器は、制御部１、表示部２および液体検出部３を有する。
【００１９】
表示部２は、電気的な制御に従って表示の色や模様などを操作することが可能なものである。ここで、模様は、文字、図形、写真などを含む。
【００２０】
表示部２としては、例えば、液晶表示素子、電子ペーパー、ＬＥＤなどを適用することができる。
【００２１】
電子ペーパーは、正に帯電した多数の第１の色の顔料粒子と、負に帯電した多数の第２の色の顔料粒子とが液体（例えばオイル）とともに収容されたカプセルを、２枚の電極板の間に隙間なく並べたものである。一方の電極板（透明電極）の側を表示面とすると、電極板間に供給される電圧の正負を切り替えることで、表示色を、第１および第２の色の間で切り替えることができる。表示面を複数の領域に区画し、領域毎に、電圧制御を行って表示の色や模様などを操作することができる。このような電子ペーパーは、一般に良く知られたものであるので、ここでは、その詳細な説明は省略する。
【００２２】
液晶表示素子は、２枚の電極板の間に液晶層を挟持してなる液晶パネルを用いて、光源からの光を部分的に透過させることで表示を得るものである。光源として所望の色の光源を用いれば、電極板間への供給電圧を制御することで所望の色の表示を得ることができる。液晶パネルを複数の領域に区画し、領域毎に、電圧制御を行って表示の色や模様などを操作することができる。このような液晶表示素子も、一般に良く知られたものであるので、ここでは、その詳細な説明は省略する。
【００２３】
表示部２にＬＥＤを用いる場合は、例えば、所望の色のＬＥＤを筐体の表面に並べて配置する。各ＬＥＤに供給される電流量を制御することで、表示の色や模様などを操作することができる。このようなＬＥＤの構成も、一般に良く知られているものであるので、ここでは、その詳細な説明は省略する。
【００２４】
液体検出部３は、表示部２上の液体を検出する少なくとも１つの水分センサー３０を備え、水分センサー３０の出力に基づいて、表示部２上の液体の状態を判断する。液体としては、水、油、アルコールなどを用いることができる。液体の粘度も限定されるものではなく、水のような粘度の低い液体から、ゼリー状の粘度の高い液体まで、様々な粘度の液体を用いることができる。
【００２５】
液体の状態は、液体の有無、付着時間、付着回数などの付着状態を含む。ここで、付着時間は、水分センサー３０が液体を検出している状態の継続時間に対応する。付着回数は、例えば、所定時間内に、水分センサー３０が液体の付着を検出した回数である。所定時間は適宜に設定することができる。
【００２６】
水分センサー３０は、例えば、静電容量式の水分センサーである。この静電容量式の水分センサーは、一対の電極を備え、これら電極間の静電容量の変化に基づいて水分量を検出する。水分センサー３０は、静電容量式のもの限定されるものではなく、他の方式の水分センサーを用いてもよい。また、検出対象である液体の種類に応じて、他のセンサーを用いてもよい。
【００２７】
制御部１は、液体検出部３で検出した液体の状態に応じて表示部２の表示の色や模様を設定する。
【００２８】
図２Ａに、本実施形態の電子機器を表面側から見た場合の外観図を示し、図２Ｂに、本実施形態の電子機器を裏面側から見た場合の外観図を示す。
【００２９】
図２Ａおよび図２Ｂに示すように、表示部２は、筐体１０の裏面全体に設けられており、その上に、水分センサー３０が設けられている。
【００３０】
図３に、本実施形態の電子機器の表示操作の一手順を示す。ここでは、表示色を設定する手順について説明する。
【００３１】
図３を参照すると、まず、液体検出部３が、水分センサー３０の出力信号に基づいて、表示部２上に液体が付着した否かを判定する（ステップＳ１０）。表示部２上に液体が付着した場合は、液体検出部３は、その液体の状態を示す状態信号を制御部１に送信する（ステップＳ１１）。
【００３２】
制御部１は、液体検出部３から状態信号に基づいて表示部２の表示色を設定する（ステップＳ１２）。ステップＳ１０で、液体の付着が検出されなかった場合は、表示色設定処理は終了する。
【００３３】
上記の表示色設定処理によれば、ユーザは、筐体１０の水分センサー３０が設けられた部分に液体を付着させるといった直感的な操作、例えば、筐体１０の水分センサー３０が設けられた部分を水に浸すといった操作を行うことで、表示部２の表示色を設定することができる。
【００３４】
なお、ステップＳ１２において、制御部１は、液体検出部３で検出した液体の状態に応じて、表示部２の表示の模様を操作してもよい。
【００３５】
本実施形態の電子機器において、水分センサー３０をアレイ状に配置し、表示部２を水分センサー３０毎に複数の表示領域に区画してもよい。この場合、表示部２は、表示領域毎に、制御部１からの制御信号に応じた表示の色や模様などの設定が可能な構成とされる。
【００３６】
液体検出部３は、表示領域毎に、水分センサー３０の出力信号に基づいて、液体の状態を検出し、その結果を、表示領域の識別情報と一緒に制御部１に供給する。
【００３７】
制御部１は、液体検出部３から識別情報および液体の状態の検出結果を受け取ると、識別情報に基づいて表示領域を特定し、その特定した表示領域の表示の色や模様を液体の状態に応じて操作する。
【００３８】
上記の構成によれば、例えば、ユーザが、水に浸した筆などを用いて表示部２上に水を付着させる操作を行うと、その操作に応じて表示が変化する。この表示の変化において、水の付着を検出した領域の表示色が変化してもよい。また、水の付着を検出した領域に予め保持していた模様が表示されてもよい。
【００３９】
また、本実施形態の電子機器において、液体の状態として異なる複数の状態がある場合、状態毎に表示の色や模様が設定された表示選択テーブルをさらに備え、制御部１が、液体検出部３から通知された液体の状態に対応する表示の色や模様を表示選択テーブルから取得し、その取得した表示の色や模様に基づいて表示部２の表示を変化させてもよい。
【００４０】
以下、表示色を変化させる形態について具体的に説明する。
【００４１】
図４に、表示色選択テーブルを用いる形態の一例を示す。この形態では、図１に示した構成に加えて、表示色選択テーブル４およびカウンター３ａが設けられている。
【００４２】
図５に、表示色選択テーブル４の一例を示す。表示色選択テーブル４は、付着時間と表示色とを対応づけたテーブルである。表示色選択テーブル４では、付着時間が閾値Ｔ１未満の場合は、表示色が白色とされ、付着時間が閾値Ｔ１以上、閾値Ｔ２（＜Ｔ１）未満の場合は、表示色が水色とされ、付着時間が閾値Ｔ２以上の場合は、表示色が青色とされる。閾値は２つに限定されず、１つであってもよく、また、３つ以上であってもよい。また、表示色の各欄には、１つの表示色しか設定されていないが、複数の表示色を設定してもよい。複数の表示色を設定した場合は、それらの表示色からなる模様などが表示される。
【００４３】
液体検出部３は、水分センサー３０の出力信号に基づいて表示部２への液体の付着時間をカウントするカウンター３ａを備え、一定時間間隔で、カウンター３ａのカウント値（液体の付着時間）を液体の状態として制御部１に供給する。カウンター３ａのカウント値は、水分センサー３０の出力信号が、液体検出状態から非液体検出状態に遷移するタイミングでリセットされる。
【００４４】
制御部１は、液体検出部３からのカウント値に基づいて得られた付着時間に対応する表示色を表示色選択テーブル４から取得し、その取得した表示色を表示部２にて表示させる。
【００４５】
表示色選択テーブルの別の例として、付着回数と表示色とを対応づけたテーブルがある。このテーブルは、例えば、図４に示した表示色選択テーブル４において、付着時間の項目を付着回数で置き換えることで作成することができる。この場合は、付着回数が閾値Ｔ１未満の場合は、表示色が白色とされ、付着回数が閾値Ｔ１以上、閾値Ｔ２（＜Ｔ１）未満の場合は、表示色が水色とされ、付着回数が閾値Ｔ２以上の場合は、表示色が青色とされる。
【００４６】
カウンター３ａは、水分センサー３０の出力信号に基づいて表示部２への液体の付着回数をカウントする。液体検出部３は、水分センサー３０の出力信号に基づいて表示部２への液体の付着を検出する度に、カウンター３ａのカウント値を液体付着状態として制御部１に通知する。制御部１は、液体検出部３からのカウント値に基づいて得られた付着回数に対応する表示色を表示色選択テーブル４から取得し、その取得した表示色を表示部２に表示させる。カウンター３ａのカウント値は、所定時間毎にリセットされる。この所定時間は、液体の蒸発に要する時間を考慮して適宜に設定される。
【００４７】
上述した表示色を操作する形態において、表示色を模様に置き換えることで、液体の状態に応じた模様の操作が可能な形態を提供することができる。
【００４８】
上述した付着時間に応じて表示の色または模様を操作する形態と付着回数に応じて表示の色または模様を操作する形態とを組み合わせても良い。また、これら形態の少なくとも一方と上述した複数の表示領域を有する形態とを組み合わせてもよい。
【００４９】
また、本実施形態の電子機器において、水分センサー３０を収容する筐体をメインとなる筐体１０の表示部２が形成された部分の一部に組み込み、水分センサー３０が配置されている部分に複数の微小な穴を形成してもよい。これにより、水分センサー３０は外からは見えないので、外観を損なうことはない。
【００５０】
別な手法として、水分センサー３０が設けられた箇所を不透明な液透過性シートで覆ってもよい。この場合も、水分センサー３０は外からは見えないので、外観を損なうことはない。
【００５１】
（第２の実施形態）
図６は、本発明の第２の実施形態の電子機器の構成を示すブロック図である。
【００５２】
図６に示すように、本実施形態の電子機器は、液体検出部３が水分センサー３０の他に温度センサー３１を備える点で、第１の実施形態の構成と異なる。
【００５３】
図７に、本実施形態の電子機器を裏面側から見た場合の外観図を示す。図７に示すように、表示部２は、筐体１０の裏面全体に設けられており、その上に、水分センサー３０および温度センサー３１が設けられている。
【００５４】
温度センサー３１は、水分センサー３０に隣接して配置されており、水分センサー３０の近傍の温度を検出する。この場合、水分センサー３０にて液体の付着が検出されると、温度センサー３１は、付着した液体の温度を検出することができる。
【００５５】
液体検出部３は、水分センサー３０の出力信号および温度センサー３１の出力信号に基づいて、表示部２上の液体の状態を検出し、その検出結果を制御部１に供給する。
【００５６】
制御部１は、液体検出部３からの液体の状態に応じて表示部２の表示の色や模様を設定する。
【００５７】
図８に、本実施形態の電子機器の表示操作の一手順を示す。ここでは、表示色を設定する手順を説明する。
【００５８】
図８を参照すると、まず、液体検出部３が、水分センサー３０の出力信号に基づいて、表示部２上に液体が付着した否かを判定する（ステップＳ２０）。
【００５９】
表示部２上に液体が付着した場合は、次いで、液体検出部３が、温度センサー３１の出力信号に基づいて、表示部２上の液体の温度を取得する（ステップＳ２１）。そして、液体検出部３が、取得した温度に基づく液体の状態を制御部１に通知する（ステップＳ２２）。
【００６０】
制御部１は、液体検出部３から通知された液体の状態に応じて、表示部２の表示色を設定する（ステップＳ２３）。ステップＳ２０で、液体の付着が検出されなかった場合は、表示色設定処理は終了する。
【００６１】
上記の表示色設定処理によれば、第１の実施形態と同様の作用効果に加えて、液体の温度に応じた表示色の設定が可能であるので、表示色をより細かく設定することができる。
【００６２】
なお、ステップＳ２３において、制御部１は、液体検出部３で検出した液体の状態に応じて、表示部２の表示の模様を設定してもよい。
【００６３】
本実施形態の電子機器において、液体の状態として異なる複数の状態がある場合、状態毎に表示の色や模様が設定された表示選択テーブルをさらに備え、制御部１が、液体検出部３から通知された液体の状態に対応する表示の色や模様を表示選択テーブルから取得し、その取得した表示の色や模様に基づいて表示部２の表示を変化させてもよい。
【００６４】
例えば、表示選択テーブルとして、温度と表示色とを対応づけた表示色選択テーブルを用いることができる。図９に、その表示色選択テーブルの一例を示す。
【００６５】
図９に示す表示色選択テーブルでは、温度の値が閾値ＴＨ１未満の場合は、表示色が水色とされ、温度の値が閾値ＴＨ１以上、閾値ＨＴ２（＜ＴＨ１）未満の場合は、表示色が緑色とされ、温度の値が閾値ＴＨ２以上の場合は、表示色が赤色とされる。閾値は２つに限定されず、１つであってもよく、また、３つ以上であってもよい。また、表示色の各欄には、１つの表示色しか設定されていないが、複数の表示色を設定してもよい。複数の表示色を設定した場合は、それらの表示色からなる模様などが表示される。
【００６６】
制御部１は、液体検出部３から得られた液体の温度値に基づいて表示色選択テーブルから表示色を取得し、その取得した表示色を表示部２にて表示させる。
【００６７】
上記の構成によれば、例えば、ユーザは、筐体１０の水分センサー３０および温度センサー３１が設けられた所定の部位を、閾値ＴＨ１〜ＴＨ２により区分された温度範囲のうちの、所望の表示色に対応する温度範囲内の温度の液体に浸すことで、表示部２の色を所望の表示色に変更することができる。
【００６８】
また、本実施形態の電子機器において、水分センサー３０および温度センサー３１の組をアレイ状に配置し、表示部２をその組毎に複数の表示領域に区画してもよい。この場合、表示部２は、表示領域毎に、制御部１からの制御信号に応じた表示色の設定が可能な構成とされる。
【００６９】
液体検出部３は、表示領域毎に、水分センサー３０および温度センサー３１の各出力信号に基づいて、液体の状態を検出し、その結果を、表示領域の識別情報と一緒に制御部１に供給する。
【００７０】
制御部１は、液体検出部３から識別情報および液体の状態の検出結果を受け取ると、識別情報に基づいて表示領域を特定し、その特定した表示領域の表示色を液体の状態に応じて設定する。
【００７１】
上記の構成によれば、例えば、ユーザが、水に浸した筆などを用いて表示部２上に水を付着させる操作を行うと、その操作に応じて表示色が変化する。特に、本実施形態では、液体の温度に応じた表示色の変更が可能であるので、筆を浸す液体の温度を変えることで、複数の色での表示が可能となる。これを利用することで、例えば、異なる色で文字や模様などを描くことができる。
【００７２】
また、本実施形態の電子機器において、水分センサー３０の出力信号に基づいて得られる液体の状態（付着の有無、付着時間、付着回数など）と温度センサー３１の出力信号に基づいて得られる液体の温度とに基づいて、表示の色や模様の選択を行ってもよい。
【００７３】
図１０に、そのような選択動作を行う形態の一例を示す。この形態では、図６に示した構成に加えて、表示色選択テーブル４０およびカウンター３ａが設けられている。カウンター３ａは、第１の実施形態で説明したものと基本的に同じである。
【００７４】
図１１に、表示色選択テーブル４０の一例を示す。表示色選択テーブル４０は、付着時間と表示色とを対応づけたテーブルである。表示色選択テーブル４０では、付着時間が閾値Ｔ未満かつ温度がＴＨ未満の場合は、表示色が水色とされ、付着時間が閾値Ｔ未満かつ温度がＴＨ以上の場合は、表示色が青色とされ、付着時間が閾値Ｔ以上かつ温度がＴＨ未満の場合は、表示色が緑色とされ、付着時間が閾値Ｔ以上かつ温度がＴＨ以上の場合は、表示色が赤色とされる。付着時間および温度の閾値はいずれも１つに限定されず、２つ以上であってもよい。２つ以上の閾値を用いる場合は、より多くの表示色の選択が可能である。また、表示色の各欄には、１つの表示色しか設定されていないが、複数の表示色を設定してもよい。複数の表示色を設定した場合は、それらの表示色からなる模様などが表示される。
【００７５】
液体検出部３は、水分センサー３０の出力信号に基づいて表示部２への液体の付着時間をカウントするカウンター３ａを備え、一定時間間隔で、カウンター３ａのカウント値（液体の付着時間）と温度センサー３１の出力信号に基づいて得られた温度値とを含む液体付着状態を制御部１に供給する。カウンター３ａのカウント値は、水分センサー３０の出力信号が、液体検出状態から非液体検出状態に遷移するタイミングでリセットされる。ここで、液体付着状態に含まれる温度値は、一定時間内の温度センサー３１の出力値の平均値である。
【００７６】
制御部１は、液体検出部３からの液体付着状態に含まれているカウント値および温度値に基づいて表示色選択テーブル４０から表示色を取得し、その取得した表示色を表示部２にて表示させる。
【００７７】
上述した表示色を設定する形態において、表示色を模様に置き換えることで、液体の状態に応じた模様の設定が可能な形態を提供することができる。
【００７８】
上述した付着時間に応じて表示の色または模様を選択する形態と上述した複数の表示領域を有する形態とを組み合わせてもよい。
【００７９】
水分センサー３０と温度センサー３１との組み合わせにおいて、水分センサー３０と温度センサー３１を１対１で対応させる第１の構成と、複数の水分センサー３０に対して１つの温度センサー３１を対応させる第２の構成と、１つの水分センサー３０に対して複数の温度センサー３１を対応させる第３の構成とがある。
【００８０】
上述した動作の説明では、第１の構成を想定しているが、これに限定されず、第２または第３の構成を適用してもよい。
【００８１】
第２の構成において、例えば、ｎ個の水分センサー３０に対して１つの温度センサー３１が設けられた場合、ｎ個の水分センサー３０のいずれかが液体の付着を検出した場合に、表示部２に液体が付着したと判断する。この他、ｎ個の水分センサー３０の全てが液体の付着を検出した場合にのみ、表示部２に液体が付着したと判断してもよい。
【００８２】
第３の構成において、例えば、１つの水分センサー３０に対してｎ個の温度センサー３１が設けられた場合、水分センサー３０が液体の付着を検出した場合に、ｎ個の温度センサー３１から取得した複数の温度値に基づいて液体の状態を検出する。この液体の状態は、温度値の平均値、最大値、最小値、バラツキ等のパラメータを含む。これらパラメータに対して表示の色や模様を割り振った表示選択テーブルを作成することで、より細かな表示の制御が可能となる。
【００８３】
また、本実施形態の電子機器において、水分センサー３０および温度センサー３１を収容する筐体をメインとなる筐体１０の表示部２が形成された部分の一部に組み込み、水分センサー３０および温度センサー３１が配置されている部分に複数の微小な穴を形成してもよい。これにより、水分センサー３０および温度センサー３１は外からは見えないので、外観を損なうことはない。
【００８４】
別な手法として、水分センサー３０および温度センサー３１が設けられた箇所を不透明な液透過性シートで覆ってもよい。この場合も、水分センサー３０および温度センサー３１は外からは見えないので、外観を損なうことはない。
【００８５】
（第３の実施形態）
図１２は、本発明の第３の実施形態の電子機器の構成を示すブロック図である。
【００８６】
図１２に示すように、本実施形態の電子機器は、表示色選択テーブル４１および加速度センサー５を備える点で、第１の実施形態の構成と異なる。
【００８７】
加速度センサー５は、表示部２が設けられた筐体の動きを検出する。加速度センサー５は、筐体の動きに応じて出力値が変化する。
【００８８】
制御部１は、加速度センサー５の出力値と液体検出部３で検出した液体の状態に応じて表示部２の表示色を設定する。この表示色の設定において、制御部１は、表示色選択テーブル４１を参照する。
【００８９】
図１３に、表示色選択テーブル４１の一例を示す。表示色選択テーブル４１は、加速度と表示色とを対応づけたテーブルである。表示色選択テーブル４１では、加速度の値が閾値Ａ１未満の場合は、表示色が白色とされ、加速度の値が閾値Ａ１以上、閾値Ａ２（＜Ａ１）未満の場合は、表示色が水色とされ、加速度の値が閾値Ａ２以上の場合は、表示色が青色とされる。閾値は２つに限定されず、１つであってもよく、また、３つ以上であってもよい。また、表示色の各欄には、１つの表示色しか設定されていないが、複数の表示色を設定してもよい。複数の表示色を設定した場合は、それらの表示色からなる模様などが表示される。
【００９０】
制御部１は、液体検出部３から液体が表示部２へ付着していることを示す信号を受信している期間において、一定時間間隔で、加速度センサー５から取得した加速度値に基づいて、表示色選択テーブル４１から表示色を取得し、その取得した表示色を表示部２にて表示させる。
【００９１】
上記の表示色設定処理によれば、筐体の動きに応じた表示色の設定が可能であるので、より直感的な操作を通じて表示色を設定することができる。例えば、ユーザは、筐体の水分センサー３０が設けられた部位を、液体が注がれた容器内に浸し、筐体を左右に所望の速度で動かすことで、表示部２の表示色を設定することができる。
【００９２】
本実施形態における筐体の動きに応じた表示色の設定を第２の実施形態の温度を用いたものと組み合わせてもよい。
【００９３】
図１４に、そのような組み合わせで使用される表示色選択テーブルの一例を示す。この表示色選択テーブルは、温度、加速度、表示色の項目からなる。
【００９４】
温度がＴＨ未満で、加速度がＡ未満である場合は、表示色が水色とされる。温度がＴＨ未満で、加速度がＡ以上である場合は、表示色が青色とされる。温度がＴＨ以上で、加速度がＡ未満である場合は、表示色が緑色とされる。温度がＴＨ以上で、加速度がＡ以上である場合は、表示色が赤色とされる。
【００９５】
液体検出部３は、水分センサー３０の出力信号に基づいて表示部２への液体の付着を検出している期間において、一定時間間隔で、温度センサー３１の出力信号に基づいて得られた温度値を含む液体状態検出結果を制御部１に供給する。ここで、温度値は、一定時間内のセンサーの出力値の平均値であってもよい。
【００９６】
制御部１は、液体検出部３から液体状態検出結果を受信すると、加速度センサー５から加速度値を取得し、取得した加速度値と、液体状態検出結果に含まれている温度値とに基づいて、図１４に示した表示色選択テーブルから表示色を取得し、その取得した表示色を表示部２にて表示させる。
【００９７】
上述した表示色を設定する形態において、表示色を模様に置き換えることで、液体の状態に応じた模様の操作が可能な形態を提供することができる。
【００９８】
以上説明した各実施形態の電子機器は、本発明の一例であり、その構成および動作は、当業者が理解し得る範囲内で適宜に変更することができる。
【００９９】
例えば、各実施形態の電子機器において、制御部１は、表示色（または模様）を設定した場合に、その設定時点から一定時間経過後に、予め設定された初期状態の表示色（または模様）を表示部２に表示させてもよい。さらに、表示を初期状態に戻すためのボタンを設け、このボタンが押下されると、制御部１が、初期状態の表示色（または模様）を表示部２に表示させてもよい。
【０１００】
また、各実施形態の電子機器において、制御部１は、液体の状態に応じて表示部２の表示色を設定し、該設定の後、時間の経過とともに表示色の輝度（または濃淡）を一定の割合で低下させてもよい。
【０１０１】
さらに、各実施形態の電子機器において、表示の設定を開始するためのボタンを設け、このボタンが押下されると、制御部１が、液体の状態に応じて表示部２の表示を設定するようにしてもよい。
【０１０２】
また、温度センサー３１を備える実施形態において、液体検出部３は、温度センサー３１の出力信号に基づいて、高温度から低温度への第１の遷移と、低温度から高温度への第２の遷移とが交互に所定回数だけ繰り返されたことを検出すると、その旨を示すリセット信号を制御部１に供給し、制御部１が、そのリセット信号に応じて、初期状態の表示色（または模様）を表示部２に表示させてもよい。ここで、高温度は、閾値より高い値であり、低温度は閾値以下の値である。
【０１０３】
また、各実施形態の電子機器において、制御部１は、表示色を設定する場合、予め保持している画像データに基づく画像をその表示色で表示部２に表示させてもよい。
【０１０４】
さらに、液体の状態は、付着の有無、付着時間、付着回数、液体の温度の少なくとも１つを含んでいてもよい。
【０１０５】
以上説明した各実施形態の電子機器は、電子機器全般に適用することができ、特には、携帯電話機に代表される端末装置、ゲーム機、アクセサリーなどに適用することができる。
【０１０６】
図１５は、第２の実施形態の構成を適用したアクセサリーの外観図である。このアクセサリー（首飾り）は、ハート形の筐体１０の表面に表示部２が形成されており、その表示部２が形成された領域の一部に、一対の水分センサー３０および温度センサー３１が設けられている。水分センサー３０および温度センサー３１の各出力信号に基づいて、表示部２への液体の付着状態が検出され、その検出された付着状態に応じて表示部２の表示の色や模様が変更される。
【０１０７】
また、上述した各実施形態の電子機器において、表示部２が設けられた筐体の動きに応じて出力値が変化する加速度センサーを設け、制御部１が、加速度センサーの出力に基づいて筐体の特定の動きを検出した場合に、液体の状態に応じた表示部２の表示の設定を実施するようにしてもよい。なお、第３の実施形態において、加速度センサー５を、表示の設定の開始を決定するための加速度センサーとして併用してもよい。
【０１０８】
また、上述した各実施形態の電子機器はそれぞれ、プログラムに従って動作するコンピュータ（ＣＰＵ：Central Processing unit）を用いて構成されてもよい。プログラムは、少なくとも、液体検出部３の液体の状態の検出処理および制御部１の液体の状態に応じた表示処理を、コンピュータに実行させることが可能なものである。プログラムは、記録媒体を用いて提供されてもよく、通信網（例えばインターネット）を介して提供されてもよい。
【０１０９】
さらに、上述した各実施形態の画像表示装置の一部又は全部は、以下の付記１〜１１のような形態をとり得るが、これら形態に限定されない。
（付記１）
表示を行う表示部と、
前記表示部上の液体の状態を検出する液体検出部と、
前記液体検出部で検出した前記液体の状態に応じて前記表示部の表示を設定する制御部と、を有する電子機器。
（付記２）
前記液体の状態は、前記表示部への前記液体の付着の有無、前記表示部への前記液体の付着回数、前記液体が前記表示部に付着している付着時間、前記液体の温度のうちの少なくとも１つを含む、付記１に記載の電子機器。
（付記３）
前記表示部が設けられた筐体の動きに応じて出力値が変化する加速度センサーを、さらに有し、
前記制御部は、前記加速度センサーの出力値に基づいて前記筐体の特定の動きを検出した場合に、前記液体の状態に応じた前記表示部の表示の設定を開始する、付記１または２に記載の電子機器。
（付記４）
前記表示部の表示の設定を開始するための開始ボタンを、さらに有し、
前記制御部は、前記開始ボタンが押下されると、前記液体の状態に応じた前記表示部の表示の設定を開始する、付記１から３のいずれかに記載の電子機器。
（付記５）
前記液体検出部は、前記液体の温度が、閾値より高い第１の温度から前記閾値より低い第２の温度への第１の遷移と、前記第２の温度から前記第１の温度への第２の遷移とが交互に所定回数だけ繰り返されたことを検出すると、その旨を示すリセット信号を前記制御部に供給し、
前記制御部は、前記液体検出部からの前記リセット信号に応じて、予め設定された初期状態の表示を前記表示部に設定する、付記１から４のいずれかに記載の電子機器。
（付記６）
前記制御部は、前記液体の状態に応じて前記表示部の表示を設定した場合、該設定時点から一定時間を経過した後に、予め設定された初期状態の表示を前記表示部に設定する、付記１から５のいずれかに記載の電子機器。
（付記７）
前記制御部は、前記液体の状態に応じて前記表示部の表示色を設定し、該設定の後、時間の経過とともに表示色の輝度を一定の割合で低下させる、付記１から５のいずれかに記載の電子機器。
（付記８）
前記液体の状態は、複数の異なる状態を含み、該状態毎に表示の色または模様が設定された表示選択テーブルを備え、前記液体検出部で検出した前記液体の状態に基づいて前記表示選択テーブルから表示の色または模様を取得し、該取得した表示の色または模様を前記表示部に設定する、付記１から７のいずれかに記載の電子機器。
（付記９）
前記表示部は、複数の表示領域を有し、
前記液体検出部は、前記表示領域毎に、前記液体の付着状態を検出し、
前記制御部は、前記表示領域毎に、前記液体検出部で検出した前記液体の付着状態に応じて表示を変化させる、付記１から８のいずれかに記載の電子機器。
（付記１０）
前記表示部が設けられた筐体の動きを検出する加速度センサーを、さらに有し、
前記制御部は、前記液体検出部が前記液体の前記表示部への付着を検出している期間において、前記加速度センサーの出力値に応じて前記表示部の表示を設定する、付記１に記載の電子機器。
（付記１１）
表示を行う表示部を備えた電子機器にて行われる表示操作方法であって、
前記表示部上の液体の状態を検出し、
前記検出した液体の状態に応じて前記表示部の表示を設定する、表示操作方法。
（付記１２）
表示を行う表示部を備えた電子機器のコンピュータに、
前記表示部上の液体の状態を検出し、該検出した液体の状態に応じて前記表示部の表示を設定する処理を実行させる、プログラム。
【符号の説明】
【０１１０】
１  制御部
２  表示部
３  液体検出部
【図１】
2012185224.tif 000003
【図２Ａ】
2012185224.tif 000004
【図２Ｂ】
2012185224.tif 000005
【図３】
2012185224.tif 000006
【図４】
2012185224.tif 000007
【図５】
2012185224.tif 000008
【図６】
2012185224.tif 000009
【図７】
2012185224.tif 000010
【図８】
2012185224.tif 000011
【図９】
2012185224.tif 000012
【図１０】
2012185224.tif 000013
【図１１】
2012185224.tif 000014
【図１２】
2012185224.tif 000015
【図１３】
2012185224.tif 000016
【図１４】
2012185224.tif 000017
【図１５】
2012185224.tif 000018